(57)【要約】【課題】  差込み端子と他の電源プラグのための接続口（挿入口）を有する電源プラグは、接続口（挿入口）に通じる受け端子の短絡防止のため、外ケースと内ケースの二重構造としている。この二重構造は電源プラグを複雑な大型構造とさせている。【解決手段】  対の差込み端子により電源に接続され、本体ケース内に外部の電源プラグに電気接続するための対の受け端子を持つ電源プラグの構成として、受け端子間の短絡防止のためのキャップを設ける。キャップは、受け端子の一方を着座させるための上部壁部分と、本体ケースの側壁面と位置決めするための側壁部分と、差込み端子の一方を収容する窪み部分を有する。【選択図】  図２
2007280856.tif 000002
【特許請求の範囲】
【請求項１】
対の差込み端子により電源に接続され、本体ケース内に外部の電源プラグに電気接続するための対の受け端子を持つ電源プラグにおいて、受け端子間の短絡防止のためのキャップを有し、該キャップは、前記受け端子の一方を着座させるための上部壁部分と、前記本体ケースの側壁面と位置決めするための側壁部分と、前記差込み端子の一方を収容する窪み部分を有することを特徴とする電源プラグ。
【請求項２】
本体ケースと、本体ケースより延出する対の差込み端子と、本体ケース内に配されかつ差込み端子に電気的に接続される対の導体と導電関係の芯線を有する電源コードと、各導体と個別に電気的に導通関係の対の受け端子と、および少なくとも一方の受け端子を他方の受け端子から隔離させるキャップと、本体ケースに止着されかつ対の受け端子に通じる他の電源プラグの差込み端子用挿入口を有するカバーケースとを備え、前記キャップは、前記受け端子の一方を着座させるための上部壁部分と、前記本体ケースの側壁面と位置決めするための側壁部分と、前記差込み端子の一方を収容する窪み部分を有することを特徴とする電源プラグ。
【請求項３】
請求項１または２に記載の電源プラグにおいて、電源プラグ本体が熱硬化性樹脂材からなることを特徴とする電源プラグ。
【発明の詳細な説明】
【技術分野】
【０００１】
本発明は、電子機器、配線器具などに用いられる接続部付き電源プラグにおいて、安全に使用でき、かつ簡単な構造の電源プラグに関する。
【背景技術】
【０００２】
一般に、例えば、電子機器などに電源を供給するためには電子機器の電源プラグを、コンセント（ソケット）に差し込んで使用するが、電子機器近郊に他の電子機器を接続し易くするために、電源プラグ本体に接続口を設けた電源プラグ（アドンプラグ）が用いられる。よって、他の電子機器への電源供給は、電源プラグ（アドンプラグ）の接続口（差込み端子挿入口）に電源プラグの端子を差し込むことにより可能となる。
【０００３】
従来の電源プラグ（アドンプラグ）の市販例を図６に示す。電源プラグ（アドンプラグ）１は、外本体ケース２、外カバーケース３、内本体ケース４、内カバーケース５を有す。内本体ケース４は外本体ケース２内に挿入され、内カバーケース５は内本体ケース４に取り付けられ、外カバーケース３が内カバーケース５を覆いかつ外本体ケース２に溶着される。
【０００４】
内カバーケース５は、対の端子挿入口６、６を有し、挿入口６、６を画定する壁部が外ケース２、３により担持される。
【０００５】
内本体ケース４は、対の差込み端子７、７と、端子７、７と導電関係の対の導体８，８と、導体８，８に個別に電気的に接続される芯線９、９を有する電源コード１０と、導体８，８に個別に電気的に接続される受け端子１１、１１を有す。
【０００６】
各受け端子１１、１１は挿入口６、６に通じ、他の電源プラグの差込み端子（図示せず）を挿入口６、６に差し込むことで両者の電気的導通関係が確立される。コードブッシュ１２は外本体ケース２と外カバーケース３との突き合わせ面で保持される。
【特許文献１】実開昭４８−５７６８３号公報
【特許文献２】実開昭５０−１４９８８号公報
【特許文献３】実開昭５１−１４１３９１号公報
【特許文献４】実開昭６０−５９４９０号公報
【発明の開示】
【発明が解決しようとする課題】
【０００７】
従来の接続口を有する電源プラグ（アドンプラグ）においては、電源プラグの内カバーケースに接続口を有しているため、電源プラグ本体内部のスペースに限りがあり、接続口の内部導電部分の短絡を防ぐために絶縁の対策および、電源プラグ本体の強度を上げるために、熱硬化性樹脂で形成した内部本体を、さらに、熱可塑性樹脂で覆うなどして、構造が複雑になるという不具合があった。
【０００８】
したがって、本発明の目的は、接続口の内部導電部分の短絡を防ぐとともに、構造の簡単な電源プラグを提供するものである。
【課題を解決するための手段】
【０００９】
前述の課題を解決するために、本発明は、対の差込み端子により電源に接続され、本体ケース内に外部の電源プラグに電気接続するための対の受け端子を持つ電源プラグにおいて、受け端子間の短絡防止のためのキャップを有し、該キャップは、前記受け端子の一方を着座させるための上部壁部分と、前記本体ケースの側壁面と位置決めするための側壁部分と、前記差込み端子の一方を収容する窪み部分を有することを特徴とする電源プラグを採用するものである。
【００１０】
本発明は、また、本体ケースと、本体ケースより延出する対の差込み端子と、本体ケース内に配されかつ差込み端子に電気的に接続される対の導体と導電関係の芯線を有する電源コードと、各導体と個別に電気的に導通関係の対の受け端子と、および少なくとも一方の受け端子を他方の受け端子から隔離させるキャップと、本体ケースに止着されかつ対の受け端子に通じる他の電源プラグの差込み端子用挿入口を有するカバーケースとを備え、前記キャップは、前記受け端子の一方を着座させるための上部壁部分と、前記本体ケースの側壁面と位置決めするための側壁部分と、前記差込み端子の一方を収容する窪み部分を有することを特徴とする電源プラグを採用するものである。
【発明の効果】
【００１１】
本発明の電源プラグによれば、電源プラグ内の接続端子（受け端子）、接続口（挿入口）の電気的短絡を防ぐために、絶縁キャップを有することにより、電源プラグ本体のケースを二重構造にする必要がなくなり、例えば、本体ケースの材質を熱硬化性樹脂などで形成すれば、耐熱構造でしかも強度の強い電源プラグができ、部品点数が少なく、安全性の高い商品の供給が可能となる。又、電源プラグ本体の小型化が容易となる。
【発明を実施するための最良の形態】
【００１２】
図１〜図５を参照して本発明の実施形態の電源プラグを説明する。図１は本発明の電源プラグの斜視図であり、図２は本発明の電源プラグの分解斜視図であり、図３はキャップを取付ける状態を説明するための本発明の電源プラグの分解斜視図であり、図４はカバーケースを裏面から見た斜視図であり、図５はキャップを説明するための図であり、この内、図５ａはキャップの斜視図、図５ｂは図５ａの線５ｂ−５ｂから見た断面図であり、図５は図５ｂは図５ａの線５ｃ−５ｃから見た断面図である。
【００１３】
本発明の一例の電源プラグ２１は、図１乃至４に示すように、箱形の本体ケース２２、箱形のカバーケース２３、ブッシュ２５付きの電源コード２４、本体ケース２２より延出する対の差込み端子２６Ａ、２６Ｂ、カバーケース２３に設けた接続口、即ち端子の挿入口２７、２７を有す。両ケース２２、２３は熱硬化性樹脂材よりなる。
【００１４】
差込み端子２６Ａ、２６Ｂは、本体ケース２２内の対の導体２８Ａ、２８Ｂに個別に電気的に接続される。各導体２８Ａ、２８Ｂは電源コード２４の各芯線２９Ａ、２９Ｂに導電関係に接続されている。
【００１５】
本体ケース２２内には対の離間した受け端子３０Ａ、３０Ｂが配される。受け端子３０Ａ、３０Ｂは、導電板の平面視略コの字状にプレス成形したもので対向片を接近させかつ対向片に弾力を持たせる形状としたものである。
【００１６】
電源コード２４のブッシュ２５を本体ケース２２の側壁に保持させる。本体ケース２２は平面視略コの字状の隔壁３１を有し、この隔壁３１内に一方の受け端子３０Ｂを配し、隔壁３１の開口部を挿入口２７の方向と同一方向に向ける。
【００１７】
本発明では、合成樹脂製のキャップ３２は、他方の受け端子３０Ａを着座させるように本体ケース２２内に配置する。キャップ３２は、本体ケース２２とは別個に成形されたものである。
【００１８】
キャップ３２は、受け端子３０Ａを着座させるための上部壁部分３２ａ、本体ケース２２のコーナー部の内壁面と当接させて位置決めするための側壁部分３２ｂ、３２ｃと、上部壁部分３２ａの一方から斜め上方に突出する突出部分３２ｄとから成る。この突出部分３２はコの字状の隔壁３１の壁部に当接して本体ケース２２の壁部に対してキャップ３２を位置決めさせるものである。キャップ３２は、また、上部壁部分３２ａ、側壁部分３２ｂ、３２ｃによって部分的に囲まれた窪み部分３２ｅを有する。この窪み部分３２ｅ内に差込み端子２６Ａが配置される。
【００１９】
キャップ３２は、隣り合う受け端子３０Ａと３０Ｂとが短絡するのを防止する役割をなす電気絶縁体である。
【００２０】
次に、キャップ３２の本体ケースに対する取付けを説明する。図３に示すように、本体ケース２２に配した差込み端子２６Ａと、端子２６Ａに接続された導体２８Ａ及び受け端子３０Ａとを、端子２６Ａを押し上げることで、受け端子３０Ａを浮き上がらせ、受け端子３０Ａの下方にキャップ３２を差し込む。その後、キャップ３２を本体ケース２２内に押し込むことでなされる。この際、キャップ３２はその側部壁部分３２ｂ、３２ｃと突出部分３２ｄによって本体ケース２２に対して位置決めされる。
【００２１】
キャップ３２を受け端子３０Ａを着座させた後、両ケース２２、２３をビス止めする。使用に際しては、差込み端子２６，２６をコンセントに差し込むことで、受け端子３０Ａ、３０Ｂに電源が供給される。このため、他の電子機器の電源プラグを挿入口２７，２７に差し込むことで、他の電子機器への電源の供給が可能となる。受け端子３０Ａはキャップ３２より受け端子３０Ｂと短絡することなく電源プラグ２１を安全に用いることができる。キャップ３２は薄肉でよく本体ケース２２を大型とさせることはない。
【図面の簡単な説明】
【００２２】
【図１】本発明の電源プラグの斜視図である。
【図２】本発明の電源プラグの分解斜視図である。
【図３】キャップを取付ける状態を説明するための本発明の電源プラグの分解斜視図である。
【図４】カバーケースを裏面から見た斜視図である。
【図５】キャップを説明するための図であり、この内、図５ａはキャップの斜視図、図５ｂは図５ａの線５ｂ−５ｂから見た断面図であり、図５は図５ｂは図５ａの線５ｃ−５ｃから見た断面図である
【図６】従来例の電源プラグを示す分解斜視図である。
【符号の説明】
【００２３】
２１    電源プラグ
２２    本体ケース
２３    カバーケース
２４    電源コード
２６Ａ、２６Ｂ    差込み端子
２７    挿入口（接続口）
２８Ａ、２８Ｂ    導体
２９Ａ、２９Ｂ    芯線
３０Ａ、３０Ｂ    受け端子
３１    隔壁
３２    キャップ
３２ａ  キャップの上部壁部分
３２ｂ  キャップの側壁部分
３２ｃ  キャップの側壁部分
３２ｄ  キャップの突出部分
３２ｅ  キャップの窪み部分
【図１】
2007280856.tif 000003
【図２】
2007280856.tif 000004
【図３】
2007280856.tif 000005
【図４】
2007280856.tif 000006
【図５】
2007280856.tif 000007
【図６】
2007280856.tif 000008